(57)【要約】本発明は接線方向に接続された吸気ノズル（１）と、排気ノズル（２）と、空気フィルタハウジングに一体形成された固定用脚部（台座部）（３）を備えた円筒状フィルタエレメント用のフィルタハウジング（１０）の製造に関連し、空気フィルタハウジングを固定用脚部（３）が一体形成されるハウジング本体側（４）と吸気用ノズル（１）が一体形成される吸気側ハウジング部材（５）とに分割してハウジング本体側（４）と吸気側ハウジング部材（５）が回転方向に角度変向自在に位置変更できるように連結することにより、固定用脚部（３）で規定される接触面又は固定面に対して吸気ノズル（１）の角度位置を簡単且つ経済的に調整できるようにした。
2009545430.tif 000002
【特許請求の範囲】
【請求項１】
空気フィルタハウジング（１０）の接線方向に接続された未濾過空気吸気ノズル（１）と、排気ノズル（２）と、前記フィルタハウジング（１０）と一体形成される少なくとも１の固定用脚部（３）を備えた円筒状フィルタエレメント用の空気フィルタハウジングにおいて、
前記フィルタハウジング（１０）は前記固定用脚部（３）が一体形成されるハウジング本体側（４）と、前記吸気ノズル（１）が一体形成される吸気側ハウジング部材（５）とに分割され、該ハウジング本体側（４）と吸気側ハウジング部材（５）との連結が円周方向に対して角度変向自在に連結される連結機構を備えてなることを特徴とする空気フィルタハウジング。
【請求項２】
前記連結機構は、前記円周方向に角度変向自在に、ハウジング本体側（４）と吸気側ハウジング部材（５）とを位置決めする手段と、該ハウジング本体側（４）と吸気側ハウジング部材（５）とを前記位置決めにより角度規定した状態で溶接結合する手段とで構成されることを特徴とする請求項１記載の空気フィルタハウジング（１０）。
【請求項３】
前記溶接結合は摩擦接合であることを特徴とする請求項２記載の空気フィルタハウジング（１０）。
【請求項４】
前記円周方向に角度変向自在な前記連結機構は、弾性力を利用した凹凸嵌合結合であるスナップ式連結機構であることを特徴とする請求項１記載の空気フィルタハウジング（１０）。
【請求項５】
前記スナップ式連結機構は嵌合される凹部と凸部が環状であるスナップ式連結機構であり、前記ハウジング部材（４、５）のうち一方のハウジング部材（４、５）の軸方向端部（７）にスナップ式連結用リブ（６）を形成し、他方のハウジング部材（４、５）に収納用カラー（８）をそれぞれ形成して連結することを特徴とする請求項４記載の空気フィルタハウジング（１０）。
【請求項６】
前記端部（７）と前記収納用カラー（８）は相互に途切れることなく（pass continuously）環状に延在されているとともに、該カラー（８）の内周にスナップ式連結用リブ（６）が挿入されていることを特徴とする請求項５記載の空気フィルタハウジング（１０）。
【請求項７】
前記排気ノズル（２）は前記吸気側ハウジング部材（５）の端面中心から軸方向外方へと延在することを特徴とする請求項１〜６のいずれか１項に記載の空気フィルタハウジング（１０）。
【請求項８】
１端面が開放端として形成されるハウジング部材（４）の突出端部（１１）の円周に沿って複数の固定用凹部（１２）が設けられ、前記ハウジングの閉鎖用蓋部材（２０）は前記固定用凹部に係止される係止突出部（２１）を内周に複数備えることを特徴とする請求項４〜７のいずれか１項に記載の空気フィルタハウジング（１０）。
【発明の詳細な説明】
【技術分野】
【０００１】
本発明は円筒状空気フィルタエレメント用のフィルタハウジングに関連し、該フィルタハウジングはハウジング接線方向に沿って接続された未濾過空気を流入させる吸気ノズルと、排気ノズルと、更にフィルタハウジングと一体形成され、他側支持部材に該ハウジングを取り付けるための少なくとも一のハウジング固定用脚部（以下固定用脚部という）を備える。
【背景技術】
【０００２】
このようなフィルタハウジングは既に公知であり、一体形成された固定用脚部が直接ハウジング支持材に取り付け可能であるとともに、締め付け用ベルト等の別の取り付け部材が不要となり、更に空気フィルタハウジングは射出成型等によって固定用脚部及び吸気ノズルと排気ノズルとが一体形成可能であるという利点がある。このハウジングは通常、フィルタエレメントを取り出すことができるように一端が開放されたカップ型であり且つ該カップの開放端についてはカバーで封止されている。
【０００３】
しかし、固定用脚部と吸気ノズルとを一体形成すると固定用脚部の支持面に対する吸気ノズルの角度位置が決まってしまう。一般に機械の種類により様々な空間的制約条件が存在するが、吸気ノズルと固定用脚部の支持面との接線方向の角度関係を調整するには射出成型用の型を設計変更するか別の射出成型用の型を使用しなければならないのでコストが嵩む。製造数が少ない建設機械で製造期間も短い場合には経済的ではない。
【０００４】
本発明の課題は従来の空気フィルタハウジングを改良して取り付けに要する空間条件に容易に対応できるようにすることである。
【発明の概要】
【０００５】
この課題を解決するために前述の空気フィルタハウジングを、固定用脚部と一体形成されるハウジング本体側と、未濾過空気の吸気ノズルと一体形成される吸気側ハウジング部材とに分割して、ハウジング本体側と吸気側ハウジング部材とをハウジングの円周方向に対して角度変向自在な状態で連結して構成される。
【０００６】
前記空気フィルタハウジングをハウジング本体側と吸気側ハウジング部材とに分割可能で且つハウジングの円周方向に対して角度変向自在な状態で連結される２部材とすることによって接線方向に吸気ノズルが接続された吸気側ハウジング部材と少なくとも１の固定用脚部を備えたハウジング本体側との角度位置は組み立て時に自由に決定できる。このように構成することによりハウジングのノズルを様々な角度位置に変向したい場合に新たな型を作る費用が削減できる。
【０００７】
このようなハウジングの円周方向に対して角度変向自在な連結及びその固定は、例えば溶接（摩擦接合も含む）やスナップ（弾性力を利用した凹凸嵌合結合）式連結機構で連結される。このように、ハウジング部材同士を連結する前、最中、その後のいずれかの時点で固定用脚部と未濾過空気の吸入ノズルの角度位置関係を調整できる。好ましくは、ハウジング部材が誤って相互に回転しないように固定用脚部に対する未濾過吸気吸入ノズルの角度位置は接合工程が終了した後に固定する。
【０００８】
本発明の一実施例として、溶接結合の場合にはハウジング部材の接合部を溶融（軟化）してから相互に押し付け合う摩擦溶接結合（摩擦接合）とするのがよい。
【０００９】
他の実施例としては、スナップ式の場合は内外周面等の対面する環状部に、夫々リング状凹部とリング状凸部を設け弾性力を利用して凹凸嵌合させて連結を行うスナップ式連結とする。
【００１０】
更に別の実施例によれば、強いクランプ力で脱着不能に外周全体で連結することによって、車両等に搭載した時にハウジング本体側に対して吸気側ハウジング部材が誤って回転することがない。また、クランプ力が強いので２つのハウジング部材が誤って外れてしまうこともない。また、適度な強度のスナップ式連結により空気フィルタハウジングに必要な気密性が生じるので連結部分に新たにシール部材を設ける必要がない。適度な気密性を持たせた溶接結合によってもこの効果を得ることができる。
【図面の簡単な説明】
【００１１】
【図１】空気フィルタハウジングを組み立てた状態の図である。
【図２】図１の空気フィルタハウジングの分解図であり、2つのハウジング部材同士を連結する前の状態を示す。
【図３】固定用脚部と吸気ノズルとの角度関係を異ならせた空気フィルタハウジングを示す。
【図４】固定用脚部と吸気ノズルとの角度関係を更に異ならせた空気フィルタハウジングを示す。
【図５】付加的に備えられる係止手段の詳細図である。
【発明を実施するための形態】
【００１２】
以下の本発明を１つの実施例を用いて更に詳細に説明する。
図１は円筒状の空気フィルタハウジング１０の外周面接線方向に設けた吸気ノズル１とハウジング端面側中央部に設けた排気ノズル２とからなる空気フィルタハウジング１０を示す。
【００１３】
図の実施例では、空気フィルタハウジングが一般的に公知な埃を、遠心分離を利用するプレ分離（粗分離）とフィルタ濾過による本分離を行う、形態の２段階空気フィルタとして構成されている。この実施例では、吸気ノズル１から接線方向に空気が導入されてフィルタエレメント（不図示）の周囲に流入することで、粉塵の中の粗粒子が遠心力により振り落とされハウジングの外へと放出される。このようにして粗粒子が粗分離された後の空気は空気フィルタハウジング１０の内部に挿設されたフィルタ媒体を通過して中央排気ノズル２を通って空気フィルタハウジングから排出される。
【００１４】
本実施例の空気フィルタハウジング１０は、該ハウジングの外周に一体形成される固定用脚部３によりエンジンルーム内の取付けブラケットの支持面に直接搭載することができる。図の実施例では吸気ノズル１の中心軸は固定用脚部３で規定される支持面（ブラケットの支持面と接触する面、図1では水平面）に対し、直交する鉛直方向上方（図1の一点鎖線で示す方向）に延びている。
【００１５】
図２に詳細に示す通り、この角度関係はハウジング本体側４と吸気側ハウジング部材５とを嵌合（連結）する前に相互の位置関係を適切な位置に調整することにより決定される。図の例では吸気側ハウジング部材５の一端部の外周縁７には（半径方向断面が）頂部を有する楔形（断面が鋭角三角形状）のスナップ式連結用リブ６（wedge-shaped snap-on rib）が形成され、その先側が装入容易に構成している。一方前記外周縁７と対面するハウジング本体側４の端縁にはリング円状の収納用カラー（receiving collar）８が備えられており、該収納用カラーの直径（外径）は略円筒状のハウジング壁部の他の部分よりも大きく、又その収納用カラー８の内周は前記スナップ式連結用リブ６を挿入してスナップ連結できるようにアンダーカット処理（外周縁７頂部を有する楔形と係合可能に基側を凹部としている）されている。ハウジング本体側４と吸気側ハウジング部材５の各端部７、８の連結部は収納用カラー８の内周にスナップ式連結用リブ６が挿入された連結状態では平滑となり、レバー器具が挿入できる場所等はないのでハウジング本体側４と吸気側ハウジング部材５はスナップ式に連結されると基本的に脱着不能である。
【００１６】
スナップ連結用リブと収納用カラーとの配置をハウジング本体側４と吸気側ハウジング部材５とに入れ替えても良いことはもちろんである。
【００１７】
図３及び図４は前記実施例と同じハウジング本体側４と吸気側ハウジング部材５で構成された空気フィルタハウジング１０を示す。相違点は空気フィルタハウジングを取り付ける機械の空間的条件に対応できるように、吸気ノズル１を備えた吸気側ハウジング部材５と、固定用脚部３を備えたハウジング本体側４が、異なる角度位置で（固定用脚部３で規定される支持面（水平面）に対し、図３では６０度方向上方に、図４では水平方向に夫々延びている状態で）配置されている点である。図３の例では吸気ノズル１が傾斜して突き出るような角度（６０度）に調整され、図４の例では吸気ノズルが支持又は取り付け面と平行（１８０度角度）に延在するように調整されている。
【００１８】
空気フィルタハウジング１０の固定用脚部３側の開放端は不図示であるが、ねじ込み式蓋部材で封止してもよく、ハウジング本体側へ直進させて圧着される蓋部材で連結して封止してもよい。
【００１９】
蓋部材１１をハウジング本体側へ直進させて圧着させる構成の連結構造は、図１、２に示すようにハウジング本体側においては、その外周の周縁面１１に周方向に一定間隔で固定用凹部１２を列設する。一方図５に示すように蓋部材２０の内周には、前記固定用凹部１２に対応する位置に、固定用凹部１２と対応する数のカウンター部材が一体形成、例えば円柱状突起物２１として形成されており、図５の実施例に示すように、蓋部材２０をブラケット状の固定用凹部１２に軸方向に挿入されることによって円柱状突起物２１と固定用凹部１２が係合して蓋部材２０がハウジング本体側４に規定した角度位置で固定可能とする。
円柱状突起物２１と固定用凹部１２とを細かな角度毎に区切ることで（多数の固定手段を周方向に設けることによって）様々な角度位置での蓋部材の取り付けに対応できるので取り付け空間の角度位置を任意に調整可能であり、蓋部材２０やハウジング本体側４部材が非回転対称であっても任意の角度位置に取り付け可能であり、又その取り付け角度も調整できる。又蓋部材２０がハウジング本体側４に周方向に十分な数量の固定手段（円柱状突起物２１と固定用凹部１２）を設けることによって固定力が強くなり、作動圧がかかっている時に蓋部材２０をハウジング１０に固定された状態で保持できる。
【００２０】
尚、ハウジング本体側４と吸気側ハウジング部材５についても前記スナップ式連結の代わりに円柱状突起物２１と固定用凹部１２のような連結結合を採用してもよく、又溶接結合（摩擦接合を含む）を採用してもよい。この場合、スナップ式連結用リブ６と収納用カラー８の代わりに溶融させるリム、又は溶融物を受けるための溶接リムを設ける。
【図１】
2009545430.tif 000003
【図２】
2009545430.tif 000004
【図３】
2009545430.tif 000005
【図４】
2009545430.tif 000006
【図５】
2009545430.tif 000007
【国際調査報告】
2009545430.tif 000008
2009545430.tif 000009
2009545430.tif 000010
2009545430.tif 000011